【手続補正書】
【提出日】平成16年12月22日(2004.12.22)
【手続補正１】
【補正対象書類名】明細書
【補正対象項目名】発明の名称
【補正方法】変更
【補正の内容】
【発明の名称】ポリブチレンテレフタレートの連続製造装置及び反応装置
【手続補正２】
【補正対象書類名】明細書
【補正対象項目名】特許請求の範囲
【補正方法】変更
【補正の内容】
【特許請求の範囲】
【請求項１】
テレフタル酸を主成分とする芳香族ジカルボン酸と１，４−ブタンジオールを主成分とするグリコール類とを反応させて平均重合度２〜５のオリゴマーを製造する第１反応器と、
該第１反応器からのオリゴマーを縮重合させて、低重合ポリマーを製造する第２反応器と、
該第２反応器からの低重合ポリマーを更に縮重合させて、平均重合度７０〜１８０の高分子量ポリエステルを製造する第３反応器とからなり、
前記第２反応器が、縦型円筒状の槽であり、該槽内には同心円状に複数に分割された反応室が存在し、各反応室内に攪拌翼及び加熱装置が設けられ、さらに槽内の上部には揮発物の出口が設けられていることを特徴とするポリブチレンテレフタレートの連続製造装置。
【請求項２】
テレフタル酸を主成分とする芳香族ジカルボン酸と１，４−ブタンジオールを主成分とするグリコール類とを反応させて平均重合度２〜５のオリゴマーを製造する第１反応器と、
該第１反応器からのオリゴマーを縮重合させて、低重合ポリマーを製造する第２反応器と、
該第２反応器からの低重合ポリマーを更に縮重合させて、平均重合度７０〜１３０の高分子量ポリエステルを製造する第３反応器と、
該第３反応器からの高分子量ポリエステルを更に縮重合させて、平均重合度１５０〜２００の高分子量ポリエステルを製造する第４反応器とからなり、
前記第２反応器が、縦型円筒状の槽であり、該槽内には同心円状に複数に分割された反応室が存在し、各反応室内に攪拌翼及び加熱装置が設けられ、さらに槽内の上部には揮発物の出口が設けられていることを特徴とするポリブチレンテレフタレートの連続製造装置。
【請求項３】
前記第１反応器は、概略円筒状容器形の反応器で、本体の上部に揮発物及び反応副生物が流通する開口部を持ち、容器本体の長手方向に本体の内壁に近接して形成する熱交換器を処理液中に浸漬するように設けた装置とし、容器本体に供給された処理液は熱交換器により所定の反応温度に加熱して、攪拌、混合する、請求項１又は２記載のポリブチレンテレフタレートの連続製造装置。
【請求項４】
前記第１反応器は、概略円筒状容器形の反応器で、容器本体の下部にそれぞれ被処理液の入口及び出口を有し、本体の上部に揮発物及び反応副生物が流通する開口部を持ち、容器本体の長手方向に本体の内壁に近接して形成するカランドリヤ式の熱交換器を処理液中に浸漬するように設けた装置とし、容器本体下部より供給された処理液は熱交換器により所定の反応温度に加熱され、その際に生成する揮発性の副生成物ガスと処理液の温度差により生じる密度差によって容器内を自然対流して攪拌、混合する、請求項１又は２記載のポリブチレンテレフタレートの連続製造装置。
【請求項５】
前記第３反応器は、横形の円筒状容器形の反応器で、その容器本体長手方向の一端下部及び他端下部にそれぞれ被処理液の入口及び出口を有し、本体の上部に揮発物の出口を持ち、本体内部の長手方向に本体の内側に近接して回転する攪拌ロータを設けてあり、本体内部の攪拌ロータが処理液の粘度に応じて複数個の攪拌翼ブロックで構成され、攪拌翼は攪拌ロータの中心部に回転シャフトを持たない、請求項１又は２記載のポリブチレンテレフタレートの連続製造装置。
【請求項６】
前記第４反応器は、横形の概略円筒状容器形の反応器でその容器本体長手方向の一端下部及び他端下部にそれぞれ被処理液の入口及び出口を有し、本体の上部に揮発物の出口を持ち、本体内部の長手方向に本体の内側に近接して回転する２つの攪拌ロータより構成される攪拌翼をもった反応器である、請求項２記載のポリブチレンテレフタレートの連続製造装置。
【請求項７】
前記第２反応器が、縦型円筒状の槽であり、該槽内には同心円状に少なくとも２槽に分割された反応室が存在し、各反応室内に攪拌翼及び加熱コイルが設けられ、攪拌翼が槽本体上部に取り付けた駆動装置に連結した一本の回転軸に固定され、また槽内の上部には揮発物の出口が設けられている、請求項１又は２記載のポリブチレンテレフタレートの連続製造装置。
【請求項８】
前記第２反応器が、縦型円筒状の槽であり、該槽内には同心円状に少なくとも２槽に分割された反応室が存在し、内側の反応室に設けられた攪拌翼の回転中心部分が回転軸を有していない、請求項１又は２記載のポリブチレンテレフタレートの連続製造装置。
【請求項９】
前記第２反応器で製造される低重合ポリマーの平均重合度が２０〜７０である、請求項１又は２記載のポリブチレンテレフタレートの連続製造装置。
【請求項１０】
テレフタル酸を主成分とする芳香族ジカルボン酸と１，４−ブタンジオールを主成分とするグリコール類を前者と後者のモル比１：１．７〜１：３．０に調整したスラリーを、エステル化反応触媒あるいは重合反応触媒を添加して前記第１反応器に供給する、請求項１又は２記載のポリブチレンテレフタレートの連続製造装置。
【請求項１１】
テレフタル酸を主成分とする芳香族ジカルボン酸と１，４−ブタンジオールを主成分とするグリコール類を前者と後者のモル比１：１．７〜１：３．０に調整したスラリーが供給され、前記芳香族ジカルボン酸と前記グリコール類とを反応させてオリゴマーを製造する第１反応器と、
該第１反応器からのオリゴマーを縮重合させて、低重合ポリマーを製造する第２反応器と、
該第２反応器からの低重合ポリマーを更に縮重合させて、平均重合度７０〜１８０の高分子量ポリエステルを製造する第３反応器とからなり、
前記第２反応器が、縦型円筒状の槽であり、該槽内には同心円状に複数に分割された反応室が存在し、各反応室内に攪拌翼及び加熱装置が設けられ、さらに槽内の上部には揮発物の出口が設けられていることを特徴とするポリブチレンテレフタレートの連続製造装置。
【請求項１２】
縦型円筒状の槽でなり、該槽内の上部には揮発物の出口を設け、該槽内には同心円状に少なくとも２槽に分割された反応室を形成し、各反応室内に攪拌翼及び加熱コイルを設け、該攪拌翼が槽本体上部に取り付けた駆動装置の回転軸に固定されており、該攪拌翼がその回転中心部分が回転軸を有していないことを特徴とする反応装置。
【手続補正３】
【補正対象書類名】明細書
【補正対象項目名】０００１
【補正方法】変更
【補正の内容】
【０００１】
【発明の属する技術分野】
本発明は、ポリブチレンテレフタレート、ポリエチレンテレフタレート等のポリエチレン系高分子の連続製造装置に関するものである。
【手続補正４】
【補正対象書類名】明細書
【補正対象項目名】０００７
【補正方法】変更
【補正の内容】
【０００７】
本発明の目的は、第２反応器の器内を複数の仕切反応室にして、それぞれ攪拌と加熱を行って完全混合を達成させて、ショートパスと熱分解反応を無くして、品質の良好なポリブチレンテレフタレートを効率よく連続製造する装置を提供することにある。上記目的は、オリゴマーを縮重合させ低重合ポリマーの製造に用いる反応器を、縦型円筒状槽内を同心円状に複数に分割した反応室を持ち、それぞれの反応室内に攪拌翼および加熱装置を設け、槽内の上部に揮発物の出口を設けた構造とし、被処理液がそれぞれの反応室を半径方向に順次移動する間に効率良く重縮合反応を促進させることにより達成される。
これにより、熱分解反応を起こりにくくし、品質劣化を防ぐこともできる。